(57)【特許請求の範囲】
【請求項１】
電気配線を内部に挿通して保護するコンジットの端部が、支持部材に取り付けられたコンジット取付部材の取付面に固着される電装装置において、
上記コンジット取付部材には、上記支持部材の複数の係止穴にそれぞれ係止可能な複数の係止部が形成され、これら複数の係止部は、少なくとも一つが、上記取付面を境に他と異なった位置に設けられたことを特徴とする電装装置。
【請求項２】
上記コンジット取付部材には、取付面の互いに対向する位置に、反対方向に屈曲したフランジ部が形成され、このフランジ部に係止部が形成されたことを特徴とする請求項１に記載の電装装置。
【請求項３】
室内熱交換器、室内ファン、室外熱交換器及び室外ファンが一体に設けられ、上記室内熱交換器及び上記室内ファンが配置された室内側室と、上記室外熱交換器及び上記室外ファンが配置された室外側室とが仕切板により区画され、
また、上記室内ファン及び上記室外ファンへ給電する電気配線を内部に挿通して保護するコンジットの端部が、支持部材に取り付けられたコンジット取付部材の取付面に固着される電装装置を備えた空気調和装置において、
上記電装装置における上記コンジット取付部材には、上記支持部材の複数の係止穴にそれぞれ係止可能な複数の係止部が形成され、これら複数の係止部は、少なくとも一つが、上記取付面を境に他と異なった位置に設けられたことを特徴とする空気調和装置。
【請求項４】
上記電装装置におけるコンジット取付部材には、取付面の対向する位置に、互いに反対方向に屈曲したフランジ部が形成され、このフランジ部に係止部が形成されたことを特徴とする請求項３に記載の空気調和装置。
【発明の詳細な説明】
【０００１】
【発明の属する技術分野】
本発明は、コンジットを取り付ける電装装置、並びに室内熱交換器、室内ファン、室外熱交換器及び室外ファンが一体に設けられた空気調和装置に係り、特に、コンジットを取り付ける電装装置を備えた空気調和装置に関する。
【０００２】
【従来の技術】
空気調和装置には、高電圧（例えば２６５Ｖ）が供給される場合に、給電用の電気配線がコンジット内に挿通されて、当該電気配線を外力に対し保護する電装装置を備えたものがある。
【０００３】
【発明が解決しようとする課題】
このような空気調和装置では、例えば実公平４−５９３５号公報に示すように、コンジットのナット等を用いて固着するためのコンジット取付部材は、大型のプレート（下パネル）に一体成形された突出片として構成されて、コンジットに作用する力が良好に支持される。
【０００４】
このように、コンジットを固着するコンジット取付部材は、上記下パネル及び突出片が一体成形された大型部品となっている。
【０００５】
また、この下プレートは、多数本のビスを用いて前パネル及び背面パネルに固着される。このため、コンジットを取り付けるための突出片が一体成形された下パネルの取付作業が煩雑となり、また多数本のビスを用いるためにコストも上昇してしまう。
【０００６】
本発明の目的は、上述の事情を考慮してなされたものであり、電気配線用コンジットの端部を固着するコンジット取付部材のコンパクト化を実現できる電装装置及び空気調和装置を提供することにある。また、本発明の他の目的は、コンジット取付部材の取付作業性の向上及びコストの低減を実現できる電装装置及び空気調和装置を提供することにある。
【０００７】
【課題を解決するための手段】
請求項１に記載の発明は、電気配線を内部に挿通して保護するコンジットの端部が、支持部材に取り付けられたコンジット取付部材の取付面に固着される電装装置において、上記コンジット取付部材には、上記支持部材の複数の係止穴にそれぞれ係止可能な複数の係止部が形成され、これら複数の係止部は、少なくとも一つが、上記取付面を境に他と異なった位置に設けられたことを特徴とするものである。
【０００８】
請求項２に記載の発明は、請求項１に記載の発明において、上記コンジット取付部材には、取付面の互いに対向する位置に、反対方向に屈曲したフランジ部が形成され、このフランジ部に係止部が形成されたことを特徴とするものである。
【０００９】
請求項３に記載の発明は、室内熱交換器、室内ファン、室外熱交換器及び室外ファンが一体に設けられ、上記室内熱交換器及び上記室内ファンが配置された室内側室と、上記室外熱交換器及び上記室外ファンが配置された室外側室とが仕切板により区画され、また、上記室内ファン及び上記室外ファンへ給電する電気配線を内部に挿通して保護するコンジットの端部が、支持部材に取り付けられたコンジット取付部材の取付面に固着される電装装置を備えた空気調和装置において、上記電装装置における上記コンジット取付部材には、上記支持部材の複数の係止穴にそれぞれ係止可能な複数の係止部が形成され、これら複数の係止部は、少なくとも一つが、上記取付面を境に他と異なった位置に設けられたことを特徴とするものである。
【００１０】
請求項４に記載の発明は、請求項３に記載の発明において、上記電装装置におけるコンジット取付部材には、取付面の対向する位置に、互いに反対方向に屈曲したフランジ部が形成され、このフランジ部に係止部が形成されたことを特徴とするものである。
【００１１】
請求項１または３に記載の発明には、次の作用がある。
【００１２】
コンジット取付部材に形成されて、支持部材における複数の係止穴のそれぞれに係止可能な複数の係止部の少なくとも一つが、コンジットの端部を固着する取付面を境に他の係止部と異なった位置に設けられたことから、このコンジット取付部材は、コンジットから作用した力に対して剛性が高く、強度が増大するので、コンパクト化を実現できる。
【００１３】
また、コンジット取付部材の複数の係止部を支持部材の複数の係止穴にそれぞれ係止することにより、コンジット取付部材を支持部材に取り付けることができるので、コンジット取付部材の取付作業性を向上させることができるとともに、コンジット取付部材を支持部材に固定するためのビスの本数を削減でき、コストを低減できる。
【００１４】
請求項２または４に記載の発明には、次の作用がある。
【００１５】
コンジット取付部材には、取付面の対向する位置に、互いに反対方向に屈曲したフランジ部が形成されたことから、コンジットの端部をナットなどの締結部材を用いて上記取付面に固着する際に、この取付面の両側に、締結部材を締め付けるためのスパナなどの締付工具を挿入しても、これらの締付工具がコンジット取付部材のフランジ部に干渉することを防止できる。このため、コンジットの端部を固着するための締付け作業を容易に実施できる。
【００１６】
【発明の実施の形態】
以下、本発明の実施の形態を、図面に基づき説明する。
【００１７】
図１は、本発明に係る空気調和装置の一実施の形態を示す外観斜視図である。
【００１８】
図２は、図１の空気調和装置においてキャビネットを省略して示す分解斜視図である。
【００１９】
これらの図１及び図２に示す空気調和装置１０は、建物の図示しない壁を貫通して設置され、室内熱交換器１１、室内ファンとしてのクロスフローファン１２（図３）、室外熱交換器１３、室外ファンとしてのプロペラファン１４、及び圧縮機１５等が一体に設けられる一体型の空気調和装置である。
【００２０】
上述の室内熱交換器１１、クロスフローファン１２、室外熱交換器１３、プロペラファン１４及び圧縮機１５等は、底板１６上に配置されて空気調和装置本体１７を構成し、この空気調和装置本体１７の前方側（つまり室内熱交換器１１及びクロスフローファン１２の配置側）が前パネル１８で覆われ、後方側（つまり、室外熱交換器１３、プロペラファン１４及び圧縮機１５の配置側）がキャビネット１９により覆われて構成される。前パネル１８が、建物の室内に面して位置づけられる。また、キャビネット１９は、建物の壁を貫通して据え付けられるものであり、角筒（スリーブ）形状に形成されている。
【００２１】
図２乃至図４に示すように、上記空気調和装置本体１７においては、底板１６の前後方向略中央位置に仕切板２０が立設され、この仕切板２０は、底板１６の全幅方向に亘って延在される。この仕切板２０により、空気調和装置本体１７は、室内熱交換器１１及びクロスフローファン１２等が配置された室内側室２１と、室外熱交換器１３、プロペラファン１４及び圧縮機１５等が配置された室外側室２２とに区画される。従って、空気調和装置１０の前方に配置された前パネル１８は室内側室２１を画成し、また、空気調和装置１０の後方側に配置されたキャビネット１９は、室外側室２２の周囲を画成することになる。
【００２２】
上記底板１６の室外側室２２側に室外熱交換器１３、室外ファンケーシング２３、支持脚２４及び圧縮機１５が設置される。
【００２３】
この圧縮機１５は、室外熱交換器１３、減圧装置（不図示）及び室内熱交換器１１に図示しない冷媒配管を用いて順次接続されており、これらにより冷凍サイクルが構成される。空気調和装置１０の冷房運転時に、室外熱交換器１３が凝縮器として機能し、室内熱交換器１１が蒸発器として機能する。また、空気調和装置１０の暖房運転時に、室外熱交換器１３が蒸発器として、室内熱交換器１１が凝縮器としてそれぞれ機能する。
【００２４】
上記室外ファンケーシング２３は、室外熱交換器１３に連設されると共に、内部にプロペラファン１４が配設される。このプロペラファン１４は、室外駆動モータ２５により回転駆動され、この室外駆動モータ２５が上記支持脚２４に支持される。また、上記室外側室２２は、室外ファンケーシング２３によって、室外ファンケーシング２３内側の室外吐出室２６と、室外ファンケーシング２３外側の室外吸込室２７とに区画される。
【００２５】
上記プロペラファン１４の回転により、外気は、図４の矢印Ａに示すように、室外熱交換器１３両側の室外吸込口２８から室外吸込室２７内へ吸い込まれ、室外ファンケーシング２３のファン用オリフィス２９を経て室外吐出室２６内へ吐出され、室外熱交換器１３を通って室外吐出口３０から室外へ吐出される。上記室外熱交換器１３は、空気調和装置１０の冷房運転時に外気へ熱を放出し、また、暖房運転時に外気から熱を取り込む。
【００２６】
また、プロペラファン１４には、図３に示すように、各羽根の外周部に、これらの羽根を連結するスリンガリング３１が固着されている。空気調和装置１０の冷房運転時には、蒸発器として機能する室内熱交換器１１にドレン水が発生する。このドレン水は、後述のドレンパン３３に集水された後、仕切板２０の下端部に形成されたドレン開口４４を経て底板１６の貯溜部３２に貯溜される。上記スリンガリング３１は、プロペラファン１４の回転時に、貯溜部３２に溜まったドレン水を掻き上げ、このとき凝縮器として機能する室外熱交換器１３へ上記ドレン水を飛散させる。これにより、室外熱交換器１３の凝縮能力が向上する。
【００２７】
一方、上記底板１６の室内側室２１側にドレンパン３３が設置され、このドレンパン３３に室内熱交換器１１が載置される。また、前記仕切板２０は、室内側室２１側に開口を有する箱形状に形成され、この仕切板２０内に室内ファンケーシング３４が配置される。
【００２８】
この室内ファンケーシング３４は、仕切板２０の第１天面４１（後述）から湾曲してドレンパン３３に至り、このドレンパン３３の下端部に、室内熱交換器１１に隣接して電気ヒータ５５が設置される。また、湾曲する室内ファンケーシング３４の内側にクロスフローファン１２が配置される。従って、室内ファンケーシング３４は、仕切板２０とクロスフローファン１２との間に配置される。
【００２９】
クロスフローファン１２は、図４に示す室内駆動モータ３５により回転駆動され、これらのクロスフローファン１２及び室内駆動モータ３５が仕切板２０に支持される。上記室内ファンケーシング３４は、図３に示すように、室内側室２１側に室内循環室３６と外気導入室３７とを形成する。更に、室内側室２１には、図４に示すように、電装装置４５を収納する電装室４６が形成される。
【００３０】
図３に示すように、上記室内循環室３６内に、室内熱交換器１１、クロスフローファン１２、電気ヒータ５５が配置される。更に、この室内循環室３６内には、エアフィルタ３８及びスタビライザ３９が配置される。エアフィルタ３８は、前パネル１８に形成された吸込グリル４０と室内熱交換器１１との間に設置される。また、スタビライザ３９は、室内熱交換器１１の上方に設置されてクロスフローファン１２方向へ膨出して設けられる。このスタビライザ３９により、室内循環室３６内の空気が室内熱交換器１１に良好に吸い込まれ、室内熱交換器１１から良好に吐出される。前パネル１８には、この吐出空気を建物の室内へ導く吹出グリル４３が、吸込グリル４０の上方に形成されている。
【００３１】
クロスフローファン１２の回転により、図３の矢印Ｂに示すように、建物の室内の空気が吸込グリル４０から室内側室２１の室内循環室３６内に取り込まれ、この空気は、エアフィルタ３８、室内熱交換器１１、電気ヒータ５５を順次経てクロスフローファン１２に吸い込まれ、このクロスフローファン１２により吐出されて、吹出グリル４３から室内へ吹き出される。上記室内熱交換器１１は、空気調和装置１０の冷房運転時に、室内循環室３６内に取り込まれた室内空気を冷却して室内を冷房し、また、暖房運転時に上記室内空気を加熱して室内を暖房する。
【００３２】
上記外気導入室３７は、室外側室２２を経て室内側室２１の室内循環室３６内へ外気を取り込み、建物の室内へ新鮮な空気を供給可能とする換気装置４７を構成する一構成要素である。この換気装置４７は、上記外気導入室３７の他、換気開口４８、換気シャッタ４９及び換気通気部５０Ａを有して構成される。
【００３３】
前記箱形状の仕切板２０には、第１天面４１よりも下段位置に、この第１天面４１に連設して第２天面４２が形成される。この第２天面４２は、室外側室２２の周囲を画成するキャビネット１９の内側に配置される。また、図４及び図５に示すように、第２天面４２に上記換気開口４８が、第２天面４２の長手方向に複数個、同一ピッチで並設されている。
【００３４】
上記第２天面４２には、多数の細穴５１を備えた上記換気シャッタ４９が載置される。これらの細穴５１は群毎にまとめられ、これら複数の細穴群５１Ａが、換気シャッタ４９の長手方向に同一ピッチで配置される。この細穴群５１Ａのピッチは、第２天面４２の換気開口４８のピッチと略同一に設定されている。
【００３５】
また、換気シャッタ４９には両端部に、換気シャッタ４９の長手方向に延びる長孔５２が形成される。換気シャッタ４９は、この長孔５２を貫通するビス５３によって、仕切板２０の第２天面４２に、この第２天面４２及び換気シャッタ４９の長手方向にスライド自在に取り付けられる。
【００３６】
図６に示すように、換気シャッタ４９のスライドにより、換気シャッタ４９の細穴群５１Ａが換気開口４８と一致した位置で換気開口４８が全開操作され、細穴群５１Ａが換気開口４８と一致しない位置で換気開口４８が全閉操作される。また、換気シャッタ４９のスライド位置によって、換気開口４８の開度が半開、２／３開など任意の位置に調整される。この換気開口４８の開操作により、図３の矢印Ｃに示すように、室外側室２２内に流入した外気がキャビネット１９に案内されて、換気シャッタ４９の細穴５１及び第２天面４２の換気開口４８を通り、外気導入室３７内に導入される。
【００３７】
ここで、換気開口４８は、室外側室２２側へ向かって下方に傾斜して構成される。これにより、第２天面４２とキャビネット１９との間の外気の流動面積が、第２天面４２が水平の場合に比べて拡大される。また、図６に示す換気シャッタ４９の細穴５１は、換気開口４８の開口面積に比べて著しく小さな穴径に形成される。これにより、この細穴５１は、エアフィルタの機能を果たし、例えば虫等の侵入を防止する穴径に設定される。
【００３８】
前記換気通気部５０Ａは、図５に示すように、室内ファンケーシング３４の下部に切り起こし処理等により複数の通気口５０が設けられて、鎧戸形状に形成されたものである。この換気通気部５０Ａは、仕切板２０のドレン開口４４に対応する位置を除いて、室内ファンケーシング３４の長手方向に複数並設される。
【００３９】
図３に示すように、クロスフローファン１２の回転時には、室内循環室３６内におけるクロスフローファン１２の下方、つまり換気通気部５０Ａ近傍が負圧となる。このため、図３の矢印Ｃに示すように、換気シャッタ４９の細穴５１及び第２天面４２の換気開口４８を経て外気導入室３７内に導入された外気は、湾曲形状の室内ファンケーシング３４の外側を通って下方へ流動し、複数の換気通気部５０Ａの通気口５０を経て室内循環室３６内へ導かれる。この室内循環室３６内に導かれた外気は、室内熱交換器１１により空気調和された室内空気と混合して、図３の矢印Ｂに示すように、前パネル１８の吹出グリル４３から建物の室内へ導入され、この室内に新鮮な空気が供給される。
【００４０】
また、図５に示すように、換気シャッタ４９には、一端部に操作レバー５４が一体に結合されている。この操作レバー５４は、図２及び図６に示すように、室内熱交換器１１側へ延在して配設され、前パネル１８の取り外し時等に操作可能とされる。この操作レバー５４を水平方向に操作することによって、換気シャッタ４９がワイヤ等を介することなく直接スライドされ、換気開口４８の開度を全開または全閉操作する他、半開操作等のように換気開口４８の開度が任意に調整可能とされる。
【００４１】
ところで、図２及び図４に示す電装装置４５は、図７及び図８に示すように、基板５６が内側に配置された支持部材としての基板支持プレート５７と、温度や風量調整用の操作つまみが設置される操作つまみボックス５８と、コンジット６０を取り付けるためのコンジット取付部材としてのコンジット取付板５９と、端子台７３を覆うカバー６２とを有して構成される。
【００４２】
上記基板支持プレート５７は、正面プレート部６３に底面プレート部６４、一枚の側面プレート部６５及び天面プレート部６６が一体に形成されたものであり、正面プレート部６３の内側に基板５６が設置される。
【００４３】
上記操作つまみボックス５８は、基板支持プレート５７の正面プレート部６３における上部に固着される。この操作つまみボックス５８に、図２に示す冷暖温度調整つまみ６７及び冷暖風量調整つまみ６８が設置され、これらの冷暖温度調整つまみ６７及び冷暖風量調整つまみ６８と操作つまみボックス５８との間に表示板６９が介在される。この表示板６９、冷暖温度調整つまみ６７及び冷暖風量調整つまみ６８は、前パネル１８の操作扉７０を開閉することにより目視可能とされる。
【００４４】
図７及び図８に示す前記コンジット６０は、クロスフローファン１２、プロペラファン１４及び圧縮機１５等へ電力供給する電気配線７１を内部に挿通して、この電気配線７１を外力から保護するものであり、特に電気配線７１に高電圧（例えば２６５Ｖ以上の電圧）が印加される場合に使用される。このコンジット６０は、コンジットチューブ７８の一端部に中空形状の取付用ボルト７９が挿入して固定され、電気配線７１は、これらのコンジットチューブ７８及び取付用ボルト７９内に挿通される。取付用ボルト７９のねじ部７９Ｂに取付用ナット８０が螺合可能とされる。
【００４５】
前記コンジット取付板５９は、基板支持プレート５７の正面プレート部６３の外面に後述のように固定して取り付けられ、コンジット６０の一端部を固着するための取付面７２を備える。このコンジット取付板５９の取付面７２に固着されたコンジット６０内の電気配線７１は、基板支持プレート５７の正面プレート部６３の外面に設置された端子台７３の端子に結束されることにより、基板５６から延びて上記端子台７３の他の端子に結束された配線７４と電気的に接続される。
【００４６】
前記カバー６２は、下面部及び裏面部が開口されたボックス形状に形成される。このカバー６２は、下面部開口縁７５をコンジット取付板５９に接触させて、下面部開口がコンジット取付板５９にて閉塞されるよう位置づけられ、また、裏面部開口縁７６を基板支持プレート５７の正面プレート部６３に接触させて、裏面部開口が正面プレート部６３にて閉塞されるように位置づけられ、更に、ビス７７により基板支持プレート５７の天面プレート部６６に固定される。これにより、端子台７３、電気配線７１及び配線７４がカバー６２内に収納されて保護される。このカバー６２の取付状態で、カバー６２の下面部開口縁７５は、図１０に示すように、正面フランジ部８３と第１側面フランジ部８１との間に係止され、カバー６２の下部の抜け止めが果たされる。
【００４７】
さて、上記コンジット取付板５９は、取付面７２の正面側の辺に正面フランジ部８３が、裏面側の辺に裏面フランジ部８４が、一側面側の辺に第１側面フランジ部８１が、他側面側の辺に第２側面フランジ部８２が、それぞれ略直角に屈曲されて連設されたものである。
【００４８】
このコンジット取付板５９の取付面７２には、コンジット６０の取付用ボルト７９におけるねじ部７９Ｂを挿通するためのコンジット取付穴９３が、例えばバーリング加工により形成されている。ねじ部７９Ｂが取付面７２のコンジット取付穴９３に挿入された状態では、取付用ボルト７９の頭部７９Ａは、取付面７２の下面に接触する。
【００４９】
また、互いに対向する位置に配置された第１側面フランジ部８１と第２側面フランジ部８２とは、図９に示すように、反対方向に屈曲、例えば第１側面フランジ部８１が上方に屈曲され、第２側面フランジ部８２が下方に屈曲される。そして、これらの第１側面フランジ部８１、第２側面フランジ部８２の裏面フランジ部８４側に、図１０にも示すように、係止部としての係止フック８５、８６がそれぞれ一体に形成されている。従って、これらの係止フック８５と係止フック８６とは、取付面７２を境に互いに異なった位置、つまり取付面７２を境に上方、下方にそれぞれ位置づけられる。図１０中の符号Ｌは、係止フック８５と係止フック８６との上下の寸法差を示す。これらの係止フック８５、８６は、基板支持プレート５７の正面プレート部６３に形成された係止穴としてのフック穴８７、８８にそれぞれ係止される。従って、これらのフック穴８７、８８は上下方向に異なった位置に設けられ、係止フック８５、８６と略同一の寸法差Ｌを有する。
【００５０】
このように、コンジット取付板５９の係止フック８５と係止フック８６、並びに基板支持プレート５７のフック穴８７とフック穴８８とが上下の寸法差Ｌを有して構成されたことから、このコンジット取付板５９は、図９に示すように、取付面７２に対する垂直方向の力Ｆ、または正面フランジ部８３から裏面フランジ部８４へ向かう方向へ延びる直線を中心とするモーメントＭ（捻り力）に対し剛性を確保することが可能となる。
【００５１】
また、コンジット取付板５９の裏面フランジ部８４には、図７及び図８に示すようにビス穴８９が形成されている。コンジット取付板５９の係止フック８５、８６を基板支持プレート５７における正面プレート部６３のフック穴８７、８８にそれぞれ係止した後、コンジット取付板５９における裏面フランジ部８４のビス穴８９に固定ビス９０を挿入し、この固定ビス９０を基板支持プレート５７の正面プレート部６３に螺合することで、コンジット取付板５９が基板支持プレート５７の正面プレート部６３に固定して取り付けられる。なお、図７及び図８中の符号９１及び９２は、予備のビス穴である。
【００５２】
次に、コンジット６０の取付工程を以下に示す。
【００５３】
まず、コンジット取付板５９の係止フック８５、８６を基板支持プレート５７の正面プレート部６３におけるフック穴８７、８８に係止し、コンジット取付板５９における裏面フランジ部８４のビス穴８９に固定ビス９０を挿入し、この裏面フランジ部８４を正面プレート部６３に固定することで、コンジット取付板５９を基板支持プレート５７に固定して取り付ける。
【００５４】
次に、コンジット取付板５９の取付面７２におけるコンジット取付穴９３にコンジット６０の取付用ボルト７９におけるねじ部７９Ｂを挿入し、この取付面７２上方に突出した取付用ボルト７９のねじ部７９Ｂに取付用ナット８０を螺装する。
【００５５】
この際、図９に示すように、コンジット取付板５９において、第１側面フランジ部８１が設けられた左側からスパナまたはモンキー等の締結工具９４を差し込み、この締結工具９４をコンジット６０の取付用ボルト７９における頭部７９Ａに係合させ、また、第２側面フランジ部８２が設けられた右側から他の締結工具９５を差し込み、この他の締結工具９５をコンジット６０の取付用ナット８０に係合させる。そして、これらの締結工具９４及び９５を用いて、コンジット６０における取付用ボルト７９の頭部７９Ａと取付用ナット８０とでコンジット取付板５９の取付面７２を挟持させ、この取付面７２にコンジット６０を固着する。
【００５６】
このように、コンジット６０がコンジット取付板５９に固着された状態で、コンジット６０内の電気配線７１を端子台７３の端子に結束して、この端子台７３を介して、基板５６の配線７４とコンジット６０内の電気配線７１とを電気的に接続する。
【００５７】
その後、カバー６２を、その下面部開口縁７５、裏面部開口縁７６がコンジット取付板５９の取付面７２、基板支持プレート５７の正面プレート部６３にそれぞれ接触するように位置づけ、カバー６２の内部に端子台７３、電気配線７１及び配線７４を収納する。そして、このカバー６２を、ビス７７を用いて基板支持プレート５７に固定する。
【００５８】
上述のように構成されたことから、上記実施の形態によれば、次の効果▲１▼〜▲３▼を奏する。
【００５９】
▲１▼コンジット取付板５９に形成されて、基板支持プレート５７における正面プレート部６３のフック穴８７、８８のそれぞれに係止可能な係止フック８５、８６が、コンジット６０の一端部を固着する取付面７２を境に、それぞれ上または下の異なった位置に設けられたことから、このコンジット取付板５９は、コンジット６０から作用した力に対して剛性が高く、強度が増大するので、コンパクト化を実現できる。
【００６０】
▲２▼コンジット取付板５９の係止フック８５、８６を基板支持プレート５７における正面プレート部６３のフック穴８７、８８にそれぞれ係止することにより、コンジット取付板５９を基板支持プレート５７に取り付けることができるので、コンジット取付板５９の取付作業性を向上させることができると共に、コンジット取付板５９を基板支持プレート５７に固定するための固定ビス９０の本数を削減でき、コストを低減できる。
【００６１】
▲３▼コンジット取付板５９には、取付面７２の対向する位置に、互いに反対方向に屈曲した第１側面フランジ部８１及び第２側面フランジ部８２が形成されたことから、コンジット６０の一端部を取付用ナット８０を用いて取付面７２に固着する際に、この取付面７２の上下のそれぞれの側に、取付用ナット８０を締め付けるためのスパナ等の締付工具９４、９５を挿入しても、これらの締付工具９４、９５がコンジット取付板５９の上記第１側面フランジ部８１及び第２側面フランジ部８２に干渉することを防止できる。このため、コンジット６０の一端部を固着するための締付作業を容易に実施できる。
【００６２】
以上、本発明を上記実施の形態に基づいて説明したが、本発明はこれに限定されるものではない。
【００６３】
例えば、上記実施の形態では、コンジット取付板５９に係止フック８５及び８６が形成されるものを述べたが、このコンジット取付板５９に３個以上の係止フックが設けられてもよい。この場合、少なくとも１つの係止フックは、取付面７２を境に他の係止フックと異なる上下位置に形成される必要がある。
【００６４】
【発明の効果】
請求項１または２に記載の発明に係る電装装置によれば、電気配線用コンジットの端部を固着するコンジット取付部材のコンパクト化を実現できる。また、この電装装置によれば、コンジット取付部材の取付作業性の向上及びコストの低減を実現できる。
【００６５】
請求項３または４に記載の発明に係る空気調和装置によれば、電気配線用コンジットの端部を固着するコンジット取付部材のコンパクト化を実現できる。また、この空気調和装置によれば、コンジット取付部材の取付作業性の向上及びコストの低減を実現できる。
【図面の簡単な説明】
【図１】本発明に係る空気調和装置の一実施の形態を示す外観斜視図である。
【図２】図１の空気調和装置においてキャビネットを省略して示す分解斜視図である。
【図３】図１の空気調和装置の縦断面図である。
【図４】図１の空気調和装置においてキャビネットを省略して示す平面図である。
【図５】図２の仕切板、クロスフローファン及び換気装置等を示す分解斜視図である。
【図６】図５の換気装置等を組み付けた状態を示す図４に対応した平面図である。
【図７】図２の電装装置を拡大して示す斜視図である。
【図８】図７の電装装置を示す分解斜視図である。
【図９】図７のIX−IX線に沿う断面図である。
【図１０】図７のX矢視図である。
【符号の説明】
１０  空気調和装置
１１  室内熱交換器
１２  クロスフローファン（室内ファン）
１３  室外熱交換器
１４  プロペラファン（室外ファン）
２０  仕切板
２１  室内側室
２２  室外側室
４５  電装装置
５７  基板支持プレート（支持部材）
５９  コンジット取付板（コンジット取付部材）
６０  コンジット
６３  正面プレート部
７１  電気配線
７２  コンジット取付板の取付面
７９  コンジットの取付用ボルト
８０  コンジットの取付用ナット
８１  コンジット取付板の第１側面フランジ部（フランジ部）
８２  コンジット取付板の第２側面フランジ部（フランジ部）
８４  コンジット取付板の裏面フランジ部
８５、８６  コンジット取付板の係止フック（係止部）
８７、８８  基板支持プレートのフック穴（係止穴）
９０  固定ビス
【図１】
0004663182.tif 000002
【図２】
0004663182.tif 000003
【図３】
0004663182.tif 000004
【図４】
0004663182.tif 000005
【図５】
0004663182.tif 000006
【図６】
0004663182.tif 000007
【図７】
0004663182.tif 000008
【図８】
0004663182.tif 000009
【図９】
0004663182.tif 000010
【図１０】
0004663182.tif 000011